(57)【要約】      （修正有）【課題】後身頃の襟ぐりと着用者との隙間を確保する際の作業が容易であるとともに、着用者に不快感が生じることを抑制できる空調衣服を提供する。【解決手段】空調衣服は、着用者Ｍと衣服生地との間に形成された空気流通空間内に、ファンによって空気の流れを形成する空調衣服であって、空気流通空間への空気取り込み口を有する後身頃３と、後身頃３の内側に設けられた裏地とを備え、裏地の上縁部８Ａにおける左右端は、後身頃３における後襟ぐり３２の左右両端部３２ａ、３２ｂに固定され、裏地の上縁部８Ａにおける左右端の間に、互いに係合可能な雄ボタン８２ａと雌ボタン８２ｂとが、裏地の上縁部８Ａに沿って間隔を空けて設けられ、雄ボタン８２ａと雌ボタン８２ｂとは、互いを押し合うことにより係合することが可能である。【選択図】図５
0003227290.tif 000002
【実用新案登録請求の範囲】
【請求項１】
着用者と衣服生地との間に形成された空気流通空間内に、送風手段によって空気の流れを形成する空調衣服であって、
前記空気流通空間への空気取り込み口を有する後身頃と、
前記後身頃の内側に設けられた裏地とを備え、
前記裏地の上縁部における左右端は、前記後身頃における襟ぐりの左右両端部に固定され、
前記裏地の上縁部における前記左右端の間に、互いに係合可能な係合部と被係合部とが、前記裏地の上縁部に沿って間隔を空けて設けられ、
前記係合部と被係合部とは、互いを押し合うことにより係合することが可能である
ことを特徴とする空調衣服。
【請求項２】
前記裏地の上縁部には、前記上縁部に沿って延びる補強帯が設けられており、前記係合部と前記被係合部とは前記補強帯に設けられている
ことを特徴とする請求項１に記載の空調衣服。
【請求項３】
前記裏地は、前記後身頃の前記襟ぐりから裾部にかけて設けられている
ことを特徴とする請求項１または請求項２に記載の空調衣服。
【請求項４】
前記裏地は、メッシュ生地により構成されている
ことを特徴とする請求項１〜請求項３の何れか一項に記載の空調衣服。
【考案の詳細な説明】
【技術分野】
【０００１】
本考案は、着用者と衣服生地との間に形成された空気流通空間内に、送風手段によって空気の流れを形成する空調衣服に関する。
【背景技術】
【０００２】
従来、着用者と衣服生地との間に形成された空気流通空間内に、送風手段によって空気の流れを形成する空調衣服が知られている。このような空調衣服においては、例えば、空調衣服における後身頃の下部に設けられた送風手段によって、着用者と衣服生地の後身頃との間に形成された空気流通空間内に空気が取り込まれる。
【０００３】
空気流通空間内に取り込まれた空気は、空気流通空間内を上方へ向けて流通した後、着用者の首と空調衣服における後身頃の襟ぐりとの間を通って外部へ排気される。空調衣服においては、空気が空気流通空間内を流通する際に着用者の身体から熱を奪うことによって、着用者に冷却効果をもたらすものであるため、着用者の首と後身頃の襟ぐりとの隙間が小さいと空気の流通量が減少し、冷却効果が小さくなってしまう。
【０００４】
従って、従来においては、空調衣服における襟後部の内側にベルトを取り付けて、襟後部をたるますように掛け渡すことで、着用者の首と後身頃の襟ぐりとの隙間を確保することが行われている（特許文献１参照）。
【先行技術文献】
【特許文献】
【０００５】
【特許文献１】特許第６１５８６７５号公報
【考案の概要】
【考案が解決しようとする課題】
【０００６】
しかし、特許文献１に記載の構成では、ベルトの一端が襟後部に縫い付けられており、ベルトの他端に取り付けられたボタンを襟後部に形成されたボタン孔に掛けることで、ベルトを襟後部に掛け渡すように構成されている。
【０００７】
このような構成においては、ベルトを襟後部に掛け渡す際にベルトのボタンをボタン孔に通して掛ける作業が煩雑であった。また、ベルトを襟後部に掛け渡さないときには、ベルトの他端が垂れ下がった状態となるため、垂れ下がったベルトが揺れ動いて不意に着用者の首に接触し、着用者に不快感を与えるおそれがある。
【０００８】
そこで、本考案においては、空調衣服における後身頃の襟ぐりと着用者との隙間を確保する際の作業が容易であるとともに、空調衣服の着用者に不快感が生じることを抑制できる空調衣服を提供するものである。
【課題を解決するための手段】
【０００９】
上記課題を解決する空調衣服は、以下の特徴を有する。
即ち、空調衣服は、着用者と衣服生地との間に形成された空気流通空間内に、送風手段によって空気の流れを形成する空調衣服であって、前記空気流通空間への空気取り込み口を有する後身頃と、前記後身頃の内側に設けられた裏地とを備え、前記裏地の上縁部における左右端は、前記後身頃における襟ぐりの左右両端部に固定され、前記裏地の上縁部における前記左右端の間に、互いに係合可能な係合部と被係合部とが、前記裏地の上縁部に沿って間隔を空けて設けられ、前記係合部と被係合部とは、互いを押し合うことにより係合することが可能である。
【００１０】
これにより、空調衣服における後身頃の襟ぐりと着用者との隙間を確保する際の作業を容易にすることができる。また、空調衣服を着用した着用者に不快感が生じることを抑制できる。
【００１１】
また、前記裏地の上縁部には、前記上縁部に沿って延びる補強帯が設けられており、前記係合部と前記被係合部とは前記補強帯に設けられている。
【００１２】
これにより、係合部と被係合部とが係合した状態と、係合部と被係合部との係合が解除された状態とを繰り返し切り替えた場合でも、裏地に傷みが生じることを抑制できる。
【００１３】
また、前記裏地は、前記後身頃の前記襟ぐりから裾部にかけて設けられている。
【００１４】
これにより、空調衣服の内部に空気を取り入れた際の着用者の快適性を向上することができる。
【００１５】
また、前記裏地は、メッシュ生地により構成されている。
【００１６】
これにより、冷却効果を高めることができる。
【考案の効果】
【００１７】
本考案によれば、空調衣服における後身頃の襟ぐりと着用者との隙間を確保する際の作業が容易であるとともに、空調衣服の着用者に不快感が生じることを抑制できる。
【図面の簡単な説明】
【００１８】
【図１】空調衣服を示す正面図である。
【図２】空調衣服を示す背面図である。
【図３】空調衣服における後身頃の内側を示す正面図である。
【図４】スナップボタンの雄ボタンと雌ボタンとの係合が解除された状態の空調衣服における襟ぐり部分を示す図であって、（ａ）は平面断面図、（ｂ）は斜視図である。
【図５】スナップボタンの雄ボタンと雌ボタンとが係合した状態の空調衣服における襟ぐり部分を示す図であって、（ａ）は平面断面図、（ｂ）は斜視図である。
【図６】スナップボタンの雄ボタンと雌ボタンとの係合が解除された状態の空調衣服を示す側面断面図である。
【図７】スナップボタンの雄ボタンと雌ボタンとが係合した状態の空調衣服を示す側面断面図である。
【考案を実施するための形態】
【００１９】
次に、本考案を実施するための形態を、添付の図面を用いて説明する。
【００２０】
以下の説明では、図１における右側を空調衣服１の左側、図１における左側を空調衣服１の右側と規定し、図１における紙面手前側を空調衣服１の前側、図１における紙面奥側を空調衣服１の後側と規定する。また、図１における上側および下側を、それぞれ空調衣服１の上側および下側と規定する。
【００２１】
図１、図２に示す空調衣服１は、本考案に係る空調衣服の一実施例であり、袖のないベストである。但し、空調衣服１は、長袖または半袖等の袖を備えた上着であってもよい。
【００２２】
空調衣服１は、衣服生地により構成される前身頃２、後身頃３、および襟５を備えている。前身頃２には、空調衣服１の前面を開閉可能なファスナ４が備えられている。後身頃３の下部における左右には、空気取り込み口３１が開口している。空調衣服１においては、空気取り込み口３１は２箇所に設けられている。
【００２３】
空気取り込み口３１にはファン９１が取り付けられている。ファン９１はバッテリ９２により駆動される。ファン９１が駆動されることにより、外部から空気取り込み口３１を通じて空調衣服１内へ空気が取り入れられる。ファン９１は、送風手段の一例である。
【００２４】
バッテリ９２は、例えば前身頃２の内側に設けられる内ポケット２１に収納されている。バッテリ９２とファン９１とは、図示しない接続線により電気的に接続されている。
【００２５】
前身頃２と後身頃３との間には、着用者Ｍ（図６、図７参照）が腕を通す袖ぐり７が開口している。袖ぐり７は伸縮可能な衣服生地により構成されている、または伸縮可能なゴムを内蔵している。これにより、袖ぐり７を着用者Ｍの腕に密着させて、空調衣服１の内部に取り入れられた空気が袖ぐり７から漏れ出すことを抑制している。
【００２６】
空調衣服１の下端に位置する裾部６は、伸縮可能な衣服生地により構成されている、または伸縮可能なゴムを内蔵している。これにより、裾部６を着用者Ｍの腰に密着させて、空調衣服１の内部に取り入れられた空気が裾部６から漏れ出すことを抑制している。
【００２７】
襟５は、着用者Ｍの首Ｍｎを囲む帯状の衣服生地であり、空調衣服１の襟ぐりである前身頃２の前襟ぐり２２と後身頃３の後襟ぐり３２とに接合されている。襟５は、本実施形態においては、前襟ぐり２２および後襟ぐり３２から上方へ立ち上がる立襟に構成されている。但し、襟５は、折襟等の他の形状とすることも可能である。
【００２８】
図３に示すように、後身頃３の内側には背中側の裏地８が設けられている。裏地８は、上下方向において、後身頃３の襟ぐり３２から裾部６にかけて設けられている。裏地８は、前身頃２と後身頃３との接合部に共に縫い合わされており、後身頃３に近接した状態で固定されている。なお、図３においては、裏地８の一部（図３における右下部分）を切り欠いて表している。
【００２９】
本実施形態のように、裏地８を後身頃３の襟ぐり３２から裾部６にかけて設けることで、着用者Ｍの背中が全体的に裏地８によって覆われることとなり、空調衣服１を着用した際の着心地を、着用者Ｍの背中全体にわたって向上することが可能となっている。
【００３０】
空調衣服１の内部に取り入れられた空気は、裏地８を通じて着用者Ｍの背中にまで到達することが可能である。この場合、本実施形態における裏地８の衣服生地は、通気が容易なメッシュ生地により構成されているため、空調衣服１の内部に取り入れられた空気が裏地８を通過することが容易となっている。
【００３１】
空調衣服１の内部に取り入れられた空気は裏地８を通じて着用者Ｍの背中に到達するが、裏地８は着用者Ｍの背中を全体的に覆っているため、裏地８が着用者Ｍの背中の一部のみを覆っている場合に比べて、空調衣服１の内部に取り入れられた空気が均一に着用者Ｍの背中に当たることとなる。これにより、ファン９１により空調衣服１の内部に空気を取り入れた際の着用者Ｍの快適性を向上することが可能である。
【００３２】
また、裏地８は、メッシュ生地により構成されているため、着用者Ｍに裏地８が密着することを抑制することができ、着用者Ｍが空調衣服１を着用したときに生じる不快感を抑制することが可能である。
【００３３】
なお、本実施形態における裏地８はメッシュ生地により構成されているが、メッシュ生地以外の生地を裏地８として用いることもできる。この場合、例えば滑りの良い生地を裏地８として用いることで、空調衣服１の着用時における着心地をより向上することができる。
【００３４】
裏地８の上縁部８Ａは、後身頃３の後襟ぐり３２に沿って配置されている。裏地８の上縁部８Ａには、上縁部８Ａを補強する補強帯８１が縫着されている。補強帯８１は、上縁部８Ａの左端部から右端部にかけて設けられており、上縁部８Ａに沿って延びている。裏地８の上縁部８Ａに補強帯８１を設けることで、上縁部８Ａにほつれや傷みが生じることを抑制可能となっている。
【００３５】
補強帯８１の左端部８１ａは、後身頃３における後襟ぐり３２の左端部３２ａに固定され、補強帯８１の右端部８１ｂは、後身頃３における後襟ぐり３２の右端部３２ｂに固定されている。つまり、裏地８の上縁部８Ａにおける左右端は、後身頃３における後襟ぐり３２の左右端部３２ａ、３２ｂに固定されている。
【００３６】
補強帯８１の左右端部８１ａ、８１ｂは、それぞれ後身頃３における後襟ぐり３２の左右端部３２ａ、３２ｂに縫着されることにより固定されている。補強帯８１の左端部８１ａと右端部８１ｂとの間の部分は後襟ぐり３２に固定されていない。
【００３７】
図４に示すように、補強帯８１の左端部８１ａと右端部８１ｂとの間の部分において、後襟ぐり３２と裏地８の上縁部８Ａとの間には空間が形成されている。この後襟ぐり３２と裏地８の上縁部８Ａとの間の空間は、空気取り込み口３１を通じて空調衣服１内に取り入れられた空気が外部に排出される空気排出口１２となっている。空調衣服１内に取り入れられた空気は、主に空気排出口１２から外部に排出される。
【００３８】
補強帯８１における左端部８１ａと右端部８１ｂとの間の部分には、スナップボタン８２が取り付けられている。スナップボタン８２は、雄ボタン８２ａと雌ボタン８２ｂとを有している。雄ボタン８２ａと雌ボタン８２ｂとは補強帯８１の延出方向に沿って配置されており、互いに間隔を有した位置において補強帯８１に取り付けられている。
【００３９】
雄ボタン８２ａと雌ボタン８２ｂとは互いに係合可能であり、係合することで互いに接合した状態と、係合状態が解除されて互いに離間した状態とをとることが可能である。雄ボタン８２ａと雌ボタン８２ｂとは、互いの位置を合わせた状態で互いを押し合うことにより、係合することが可能である。雄ボタン８２ａおよび雌ボタン８２ｂの一方は係合部の一例であり、雄ボタン８２ａおよび雌ボタン８２ｂの他方は被係合部の一例である。
【００４０】
なお、空調衣服１においては、スナップボタン８２の代わりに、多数のフック状の起毛を有した第１片と、多数のループ状の起毛を有した第２片とからなる面ファスナを設けることも可能である。この場合、第１片および第２片の一方は係合部の一例となり、第１片および第２片の他方は被係合部の一例となる。第１片と第２片とは、係合することで互いに接合した状態と、係合状態が解除されて互いに離間した状態とをとることが可能である。第１片と第２片とは、互いの位置を合わせた状態で互いを押し合うことにより、係合することが可能である。
【００４１】
また、係合部および被係合部は、互いを押し合うことにより係合することが可能であれば、スナップボタンおよび面ファスナ以外のものでも用いることが可能である。
【００４２】
図４（ａ）に示すように、後身頃３における後襟ぐり３２の左右の長さＬ１と、裏地８における上縁部８Ａの左右の長さＬ２とは、略同じ長さに構成されている。そして、雄ボタン８２ａと雌ボタン８２ｂとが離間した状態では、裏地８の上縁部８Ａは後襟ぐり３２の形状に沿った形状となっており、後襟ぐり３２と裏地８の上縁部８Ａとの間の空気排出口１２の大きさは小さくなっている。
【００４３】
一方、図５に示すように、雄ボタン８２ａと雌ボタン８２ｂとが係合した状態では、補強帯８１における雄ボタン８２ａと雌ボタン８２ｂとの間に位置する中央部８１ｃが折り曲げられた状態となり、補強帯８１の左端部から右端部までの長さＬ３は、後襟ぐり３２の左右の長さＬ１よりも小さくなる。従って、雄ボタン８２ａと雌ボタン８２ｂとが係合した状態では、後身頃３における後襟ぐり３２の部分にたるみが生じて、空気排出口１２は、雄ボタン８２ａと雌ボタン８２ｂとが離間しているときよりも大きく開口した状態となる。
【００４４】
図６に示すように、このように構成される空調衣服１においては、空気取り込み口３１を通じて空調衣服１の内部に取り入れられた空気が、着用者Ｍと後身頃３との間に形成された空気流通空間１１内を上方に流れる。つまり、ファン９１によって空気流通空間１１内に空気の流れが形成される。この場合、空気流通空間１１は、空調衣服１の後身頃３と裏地８との間の空間、および裏地８と着用者Ｍとの間の空間の両方を含む。
【００４５】
空調衣服１の内部に取り入れられた空気は、主に後身頃３と裏地８との間の空気流通空間１１内を流通するが、裏地８はメッシュ生地により構成されているため、裏地８を通じて裏地８と着用者Ｍとの間の空気流通空間１１内にも容易に流入することが可能である。つまり、空調衣服１の内部に取り入れられた空気は、後身頃３と裏地８との間の空気流通空間１１内、および裏地８と着用者Ｍとの間の空気流通空間１１内の両方において流通する。
【００４６】
空気流通空間１１内に流入した空気は、着用者Ｍの身体に沿って流通する際に着用者の身体から熱を奪うため、冷却効果が生じる。この場合、雄ボタン８２ａと雌ボタン８２ｂとが離間して係合していない状態にあるときには、図６に示すように空気排出口１２の開口度合いは小さくなっているため、空気排出口１２から排出される空気の流通抵抗が大きくなり、空気流通空間１１内における空気の流通量が減少して冷却効果が小さくなる。
【００４７】
一方、雄ボタン８２ａと雌ボタン８２ｂとが係合した状態にあるときには、図７に示すように、空気排出口１２が図６に示した場合よりも大きく開口しており、空気排出口１２の開口面積は十分に確保されている。従って、空気排出口１２から排出される空気の流通抵抗は小さくなり、空気排出口１２を通じて多くの空気を外部に排出することが可能となる。これにより、空気流通空間１１内における空気の流通量が増大して、着用者Ｍに対する冷却効果が高められる。
【００４８】
空調衣服１は上述のような構成を有しているため、着用者Ｍは、空調衣服１の着用時にファン９１を駆動させて冷却効果を得る場合には、離間状態にある雌ボタン８２ａと雄ボタン８２ｂとを係合させた後に空調衣服１を着用することで、冷却効果を高めることが可能である。
【００４９】
この場合、雄ボタン８２ａと雌ボタン８２ｂとはスナップボタン８２であり、離間状態にある雄ボタン８２ａと雌ボタン８２ｂとの位置を合わせて両者を押し合うだけの簡単な操作で、雄ボタン８２ａと雌ボタン８２ｂとを係合させることができる。これにより、後身頃３の後襟ぐり３２と着用者Ｍの首Ｍｎとの隙間である空気排出口１２の開口面積を確保する際の作業を容易にすることができる。
【００５０】
また、スナップボタン８２は、後身頃３の内側に設けられた裏地８の上縁部８Ａに取り付けられているため、着用者Ｍが空調衣服１を着用した際にスナップボタン８２が揺れ動いて不意に着用者Ｍの首Ｍｎに接触することがない。これにより、空調衣服１を着用した着用者Ｍに不快感が生じることを抑制可能である。
【００５１】
また、スナップボタン８２は、裏地８の上縁部８Ａに設けられた補強帯８１に取り付けられている。裏地８の上縁部８Ａは補強帯８１によって補強されているため、雄ボタン８２ａと雌ボタン８２ｂとが係合した状態と、雄ボタン８２ａと雌ボタン８２ｂとの係合が解除された状態とを繰り返し切り替えた場合でも、裏地８に傷みが生じることを抑制でき、空気排出口１２の開口面積を確実に確保することが可能である。
【００５２】
また、裏地８はメッシュ生地により構成されており、空調衣服１内に取り入れられた空気が、裏地８を通じて裏地８と着用者Ｍとの間の空気流通空間１１内に流れ込み易くなっているため、冷却効果を高めることが可能である。
【符号の説明】
【００５３】
１    空調衣服
２    前身頃
３    後身頃
５    襟
６    裾部
８    裏地
８Ａ  上縁部
１１    空気流通空間
１２    空気排出口
３１    空気取り込み口
３２    後襟ぐり
３２ａ  左端部
３２ｂ  右端部
８１    補強帯
８１ａ  左端部
８１ｂ  右端部
８２    スナップボタン
８２ａ  雄ボタン
８２ｂ  雌ボタン
９１    ファン
Ｍ    着用者
Ｍｎ  首
【図１】
0003227290.tif 000003
【図２】
0003227290.tif 000004
【図３】
0003227290.tif 000005
【図４】
0003227290.tif 000006
【図５】
0003227290.tif 000007
【図６】
0003227290.tif 000008
【図７】
0003227290.tif 000009